(57)【要約】【課題】最も電波強度が強い無線タグを効果的に特定するデータ書込装置及び処理方法を提供する。【解決手段】実施形態によれば、データ書込装置は、リーダと、プロセッサと、を備える。リーダは、第１の識別子と第２の識別子とを格納する無線タグからの電波を受信し、前記無線タグから受信する電波の電波強度を測定する。プロセッサは、前記リーダを通じて、複数の無線タグから前記第１の識別子を取得することで、前記複数の無線タグから受信する電波の電波強度をそれぞれ判定し、前記複数の無線タグから受信する電波の前記電波強度の中で最も強い電波強度と次に強い電波強度との間に読取閾値を設定し、前記リーダを通じて、設定された前記読取閾値を上回る電波強度の無線タグから前記第２の識別子を取得する。【選択図】      図１
2020009046.tif 000002
【特許請求の範囲】
【請求項１】
第１の識別子と第２の識別子とを格納する無線タグからの電波を受信し、前記無線タグから受信する電波の電波強度を測定するリーダと、
前記リーダを通じて、複数の無線タグから前記第１の識別子を取得することで、前記複数の無線タグから受信する電波の電波強度をそれぞれ判定し、
前記複数の無線タグから受信する電波の前記電波強度の中で最も強い電波強度と次に強い電波強度との間に読取閾値を設定し、
前記リーダを通じて、設定された前記読取閾値を上回る電波強度の無線タグから前記第２の識別子を取得する、
プロセッサと、
を備えるデータ書込装置。
【請求項２】
前記第２の識別子は、前記無線タグを固有に特定する識別子である、
前記請求項１に記載のデータ書込装置。
【請求項３】
前記プロセッサは、最も強い前記電波強度と次に強い前記電波強度との平均値を前記読取閾値として設定する、
前記請求項１又は２に記載のデータ書込装置。
【請求項４】
前記プロセッサは、取得された前記第２の識別子に基づいて、前記リーダが無線タグにデータを書き込む書込位置を算出し設定する、
前記請求項１乃至３の何れか１項に記載のデータ書込装置。
【請求項５】
プロセッサによって実行される処理方法であって、
第１の識別子と第２の識別子とを格納する無線タグからの電波を受信し、前記無線タグから受信する電波の電波強度を測定するリーダを通じて、複数の無線タグから前記第１の識別子を取得することで、前記複数の無線タグから受信する電波の電波強度をそれぞれ判定し、
前記複数の無線タグから受信する電波の前記電波強度の中で最も強い電波強度と次に強い電波強度との間に読取閾値を設定し、
前記リーダを通じて、設定された前記読取閾値を上回る電波強度の無線タグから前記第２の識別子を取得する、
処理方法。
【発明の詳細な説明】
【技術分野】
【０００１】
本発明の実施形態は、データ書込装置及び処理方法に関する。
【背景技術】
【０００２】
データ書込装置には、ＲＦＩＤ（radio frequency identifier）などの無線タグにデータを書き込むものがある。そのようなデータ書込装置は、無線タグの電波強度を測定することで、リーダを通じたデータの送受信に適した無線タグの位置（書込位置）を設定する。
【０００３】
書込位置を算出するため、データ書込装置は、リーダを通じて通信可能な複数の無線タグからＥＰＣを取得することで、各無線タグの電波強度を測定することがある。しかしながら、ＥＰＣは、書き換え可能であるため、データ書込装置は、同一のＥＰＣを複数の無線タグから受信することがある。
【０００４】
この場合、従来、データ書込装置は、最も電波強度が強い無線タグを特定することができないという課題がある。
【先行技術文献】
【特許文献】
【０００５】
【特許文献１】特開２０１８−４１３６５号公報
【発明の概要】
【発明が解決しようとする課題】
【０００６】
上記の課題を解決するため、最も電波強度が強い無線タグを効果的に特定するデータ書込装置及び処理方法を提供する。
【課題を解決するための手段】
【０００７】
実施形態によれば、データ書込装置は、リーダと、プロセッサと、を備える。リーダは、第１の識別子と第２の識別子とを格納する無線タグからの電波を受信し、前記無線タグから受信する電波の電波強度を測定する。プロセッサは、前記リーダを通じて、複数の無線タグから前記第１の識別子を取得することで、前記複数の無線タグから受信する電波の電波強度をそれぞれ判定し、前記複数の無線タグから受信する電波の前記電波強度の中で最も強い電波強度と次に強い電波強度との間に読取閾値を設定し、前記リーダを通じて、設定された前記読取閾値を上回る電波強度の無線タグから前記第２の識別子を取得する。
【図面の簡単な説明】
【０００８】
【図１】図１は、第１実施形態に係るデータ書込装置の構成例を示すブロック図である。
【図２】図２は、実施形態に係る印字ヘッドなどの構成例を示す図である。
【図３】図３は、実施形態に係るラベルロール紙の構成例を示す図である。
【図４】図４は、実施形態に係るラベルロール紙の構成例を示す図である。
【図５】図５は、実施形態に係るラベルの構成例を示す図である。
【図６】図６は、実施形態に係るＲＦＩＤチップの構成例を示すブロック図である。
【図７】図７は、第１実施形態に係るデータ書込装置の動作例を示すフローチャートである。
【発明を実施するための形態】
【０００９】
以下、図面を参照しながら実施形態について詳細に説明する。
【００１０】
実施形態に係るデータ書込装置は、データを格納するために適した無線タグの位置（書込位置）を設定する。データ書込装置は、無線タグを書込位置に搬送しデータを格納する。
【００１１】
たとえば、データ書込装置は、無線タグを含むラベルを格納する。データ書込装置は、ラベルを所定の位置まで搬送し、当該ラベル内の無線タグにデータを格納する。また、データ書込装置は、オペレータなどが入力した操作などに基づいて所定のデータを無線タグに格納する。また、データ書込装置は、ラベルに所定の画像を印刷する。データ書込装置は、画像を印刷したラベルを搬送し外部に放出する。
【００１２】
図１は、データ書込装置１の構成例を示すブロック図である。図１が示すように、データ書込装置１は、コントローラ１１、表示デバイス１２、入力デバイス１３、インターフェース１４、メモリ１５、リーダライタ１６、アンテナ１７、印字ヘッド駆動回路１８、印字ヘッド１９、モータドライバ２０、モータ２１、ローラ２２、センサ回路２３及びマークセンサ２４などを備える。
【００１３】
コントローラ１１と、表示デバイス１２、入力デバイス１３、インターフェース１４、メモリ１５、リーダライタ１６、印字ヘッド駆動回路１８、モータドライバ２０及びセンサ回路２３とは、データバスなどを介して互いに接続する。
【００１４】
リーダライタ１６とアンテナ１７とは、互いに電気的に接続する。印字ヘッド駆動回路１８と印字ヘッド１９とは、互いに電気的に接続する。モータドライバ２０とモータ２１とは、互いに電気的に接続する。モータ２１とローラ２２とは、物理的に接続する。センサ回路２３とマークセンサ２４とは、互いに電気的に接続する。
【００１５】
なお、データ書込装置１は、図１が示すような構成の他に必要に応じた構成を具備したり、データ書込装置１から特定の構成が除外されたりしてもよい。
【００１６】
コントローラ１１は、データ書込装置１全体を制御する。コントローラ１１は、プロセッサ１１１などを備える。
【００１７】
プロセッサ１１１は、コントローラ１１の動作を制御する。即ち、プロセッサ１１１は、データ書込装置１全体を制御する。プロセッサ１１１は、内部メモリ及び各種のインターフェースなどを備えてもよい。プロセッサ１１１は、内部メモリ又はメモリ１５などが予め記憶するプログラムを実行することにより種々の処理を実現する。
【００１８】
なお、プロセッサ１１１がプログラムを実行することにより実現する各種の機能のうちの一部は、ハードウエア回路により実現されるものであってもよい。この場合、プロセッサ１１１は、ハードウエア回路により実行される機能を制御する。
【００１９】
表示デバイス１２は、プロセッサ１１１の制御により種々の情報を表示する。たとえば、表示デバイス１２は、液晶モニタから構成される。
【００２０】
入力デバイス１３は、オペレータから種々の操作の入力を受け付ける。入力デバイス１３は、受け付けた操作を示す信号をプロセッサ１１１へ送信する。たとえば、入力デバイス１３は、キーボード、テンキー及びタッチパネルから構成される。なお、入力デバイス１３がタッチパネルなどで構成される場合、表示デバイス１２と一体的に形成されてもよい。
【００２１】
インターフェース１４は、外部装置とデータを送受信するためのインターフェースである。たとえば、インターフェース１４は、ＬＡＮ（Local Area Network）等のネットワークを介して外部装置とデータを送受信する。たとえば、インターフェース１４は、外部装置から無線タグに格納するデータを受信する。また、インターフェース１４は、ＵＳＢ接続をサポートするインターフェースであってもよい。
【００２２】
メモリ１５は、書き換え可能な不揮発性のメモリである。メモリ１５は、例えば、ＳＳＤ、または、ＨＤＤなどで構成する。また、メモリ１５は、プロセッサ１１１が実行するプログラムおよび制御データなどを記憶してもよい。
【００２３】
リーダライタ１６（リーダ）は、アンテナ１７を通じて、無線タグ４４との無線通信するデバイスである。たとえば、リーダライタ１６は、アンテナ１７を通じて無変調波を放出させる。リーダライタ１６は、アンテナ１７を通じて無線タグから無変調波に対する応答波を受信し、復調する。リーダライタ１６は、応答波を復調することで無線タグかデータを取得する。
【００２４】
たとえば、リーダライタ１６は、無線タグから識別情報（たとえば、ＥＰＣ（Electronic Product Code））などを読み取る。また、リーダライタ１６は、無線タグ４４からの電波強度を測定する。
【００２５】
また、リーダライタ１６は、コントローラ１１からの信号に基づいて所定のデータを無線タグ４４に送信する。たとえば、リーダライタ１６は、アンテナ１７を通じて、書き込みデータなどを符号化した信号を放出する。
【００２６】
アンテナ１７は、リーダライタ１６が無線タグ４４と無線通信するためのアンテナである。たとえば、アンテナ１７は、無線タグ４４が搬送される搬送路に隣接するように設置される。また、アンテナ１７は、搬送路に指向性を有する指向性アンテナであってもよい。
【００２７】
印字ヘッド駆動回路１８は、コントローラ１１からの信号に従って、印字ヘッド１９の駆動を制御する。たとえば、印字ヘッド駆動回路１８は、電力又は制御信号を印字ヘッド１９に送信する。
【００２８】
印字ヘッド１９は、印字ヘッド駆動回路１８の制御に基づいて、無線タグを含むラベルに画像を印字する。たとえば、印字ヘッド１９は、インク滴を吐出するインクジェットヘッドなどから構成される。印字ヘッド１９は、モノクロ画像をラベルに印字してもよいし、カラー画像をラベルに印字してもよい。
【００２９】
モータドライバ２０は、コントローラ１１からの信号に従って、モータ２１の駆動を制御する。たとえば、モータドライバ２０は、電力又は制御信号をモータ２１に送信する。
【００３０】
モータ２１は、モータドライバ２０の制御に基づいて、ローラ２２を駆動する。たとえば、モータ２１は、ステッピングモータなどである。
【００３１】
ローラ２２は、モータ２１からの駆動力によって回転する。ローラ２２は、回転することでラベルを所定の方向に搬送する。
【００３２】
センサ回路２３は、コントローラ１１からの信号に従って、マークセンサ２４の駆動を制御する。たとえば、センサ回路２３は、電力又は制御信号をマークセンサ２４に送信する。
【００３３】
マークセンサ２４は、ラベルロール紙に形成されるマークを読み取る。マークセンサ２４は、マークを読み取ると、所定の信号をセンサ回路２３に送信する。たとえば、マークセンサ２４は、光学センサなどである。
【００３４】
図２は、アンテナ１７などの位置関係を示す図である。図２が示すように、ローラ２２は、ローラ２２ａ及び２２ｂから構成される。ローラ２２ａ及びローラ２２ｂは、所定の間隔で空けて形成される。ラベルロール紙４１は、ローラ２２ａ側からローラ２２ｂ側に搬送される。ここでは、ローラ２２ａ側を上流、ローラ２２ｂ側を下流とする。
【００３５】
ローラ２２ａ及び２２ｂは、ラベルロール紙４１を挟持して搬送する２つのローラから構成される。
【００３６】
マークセンサ２４は、ローラ２２ａの下流に形成される。マークセンサ２４は、ラベルロール紙４１の裏面にあるマークを検知する。
【００３７】
アンテナ１７は、マークセンサ２４の下流に形成される。アンテナ１７は、マークセンサ２４と対向する位置に形成される。即ち、アンテナ１７は、ラベルロール紙４１の表面に接するように形成される。
【００３８】
印字ヘッド１９は、アンテナ１７の下流に形成される。印字ヘッド１９は、ラベルロール紙４１の表面に接するように形成される。即ち、印字ヘッド１９は、ラベルロール紙４１に含まれるラベルの表面に画像を形成する。  
印字ヘッド１９の下流には、ローラ２２ｂが形成される。
【００３９】
次に、ラベルロール紙４１について説明する。図３は、ラベルロール紙４１の表面の構成例を示す。また、図４は、ラベルロール紙４１の裏面の構成例を示す。
【００４０】
ラベルロール紙４１は、複数のラベル４３を一列に含むベルトである。ここでは、ラベルロール紙４１は、ラベル４３の長辺と平行に伸びるように形成される。
【００４１】
ラベルロール紙４１は、台紙４２及びラベル４３から構成される。
【００４２】
台紙４２は、複数のラベル４３を所定の間隔を空けて一列に支持する。たとえば、台紙４２は、ラベル４３と一部で接続することでラベル４３を支持する。たとえば、台紙４２は、紙、プラスチック又はビニールなどの素材から構成される。
【００４３】
ラベル４３は、内部に無線タグ４４を含む媒体である。ラベル４３は、矩形状に形成される。ラベル４３は、複数の層を重ねて形成される。ラベル４３は、複数の層の間に無線タグ４４を有する。たとえば、ラベル４３は、紙、プラスチック又はビニールなどの素材から構成される。ラベル４３は、台紙４２と同様の素材から構成されてもよいし、異なる素材から構成されてもよい。
【００４４】
また、ラベルロール紙４１は、裏面にマーク４５を備える。マーク４５は、ラベル４３の位置を示す。マーク４５は、ラベル４３ごとに添付される。ここでは、マーク４５は、ラベル４３の開始点に添付される。
【００４５】
次に、ラベル４３について説明する。図５は、ラベル４３の構成例を示す。図５が示すように、ラベル４３は、無線タグ４４及び印刷領域４３１などを備える。なお、ラベル４３は、図５が示すような構成の他に必要に応じた構成を具備したり、特定の構成を除外したりしてもよい。
【００４６】
無線タグ４４は、ラベル４３の所定の位置に配置される。図５が示す例においては、無線タグ４４は、ラベル４３の左側に配置される。なお、無線タグ４４は、ラベル４３の右側に配置されてもよいし、中央部に配置されてもよい。無線タグ４４が配置される位置は、特定の構成に限定されるものではない。
【００４７】
無線タグ４４は、ラベル４３を構成する複数の層の間に埋め込まれる。また、無線タグ４４は、１枚のラベル４３に少なくとも１つ埋め込まれる。無線タグ４４は、外部装置から無線で所定のデータを書き込まれ、又は、外部装置へ無線で所定のデータを送信する。
【００４８】
ここでは、無線タグ４４は、ＲＦＩＤである。また、無線タグ４４は、ＧＥＮ２（Generation-2）に準拠する。
【００４９】
図５が示すように、無線タグ４４は、ＲＦＩＤチップ４４１及びアンテナ４４２などを備える。  
ＲＦＩＤチップ４４１は、無線タグ４４全体を制御する。ＲＦＩＤチップ４４１については後述する。
【００５０】
アンテナ４４２は、外部装置と無線で通信するためのアンテナである。また、アンテナ４４２は、外部装置から電力の供給を受けるためにも使用される。たとえば、アンテナ４４２は、所定の領域に網目状に形成されてもよい。また、アンテナ４４２は、所定の領域に環状に形成されてもよい。
【００５１】
無線タグ４４は、外部装置から非接触で電力などの供給を受けて活性化される（動作可能な状態になる）。無線タグ４４は、通信インターフェースとしてのアンテナ４４２及び変復調回路などを介して外部装置からの電波を受信する。無線タグ４４は、当該電波によって駆動する電源部により動作電源及び動作クロックを生成して活性化する。
【００５２】
無線タグ４４が活性化すると、ＲＦＩＤチップ４４１は、アンテナ４４２を通じて外部装置とデータ通信することができる。ＲＦＩＤチップ４４１は、アンテナ４４２のインピーダンスを変化させることで、電波の反射及び吸収を行う。
【００５３】
たとえば、ＲＦＩＤチップ４４１は、アンテナ４４２を通じてリーダライタ１６などからアクセスパスワードなどを受信し、リーダライタ１６との通信を確立する。また、ＲＦＩＤチップ４４１は、アンテナ４４２を通じてリーダライタ１６と所定のデータを送受信する。  
なお、無線タグ４４の構成は、特定の構成に限定されるものではない。
【００５４】
印刷領域４３１は、印字ヘッド１９によって種々の画像が印刷される領域である。なお、印刷領域４３１は、感熱紙などから構成されてもよい。
【００５５】
次に、無線タグ４４の構成例について説明する。  
図６は、無線タグ４４の構成例を示すブロック図である。図６が示すように、無線タグ４４は、ＲＦＩＤチップ４４１及びアンテナ４４２などを備える。アンテナ４４２は、前述したとおりである。なお、無線タグ４４は、図６が示すような構成の他に必要に応じた構成を具備したり、特定の構成を除外したりしてもよい。
【００５６】
ＲＦＩＤチップ４４１は、制御部５１１、メモリ５１２及び通信インターフェース５１３などを備える。  
制御部５１１は、ＲＦＩＤチップ４４１全体の動作を制御する機能を有する。制御部５１１は、内部キャッシュおよび各種のインターフェースなどを備えても良い。たとえば、制御部５１１は、内部メモリ、又は、メモリに記憶したデータにより種々の処理を実現する。制御部５１１は、プロセッサなどから構成されてもよい。また、制御部５１１は、シーケンサなどのハードウエアから構成されてもよい。
【００５７】
メモリ５１２は、データを書き込み可能な不揮発性のメモリである。メモリ５１２は、制御部５１１の動作に基づいて種々のデータを記憶する。また、メモリ５１２は、無線タグ４４の運用用途に応じて予め制御用のデータなどを記憶してもよい。また、メモリ５１２は、制御部５１１の処理中のデータなどを一時的に格納してもよい。
【００５８】
また、メモリ５１２は、ＥＰＣ（Electronic Product Code）（第１の識別子）を格納する第１の記憶領域及びＴＩＤ（Tag ID）（第２の識別子）を格納する第２の記憶領域を備える。ＥＰＣ及びＴＩＤについては、後述する。
【００５９】
通信インターフェース５１３は、アンテナ４４２を通じて外部装置と通信するためのインターフェースである。通信インターフェース５１３は、外部装置から受信した電力を供給する電源部などを備えてもよい。
【００６０】
次に、ＥＰＣについて説明する。  
ＥＰＣは、ＧＥＮ２に準拠する無線タグのメモリに格納されるデータの１つである。ＥＰＣは、無線タグ４４を特定するＩＤである。ＥＰＣは、無線タグ４４を利用するユーザによって書き換え可能なＩＤである。たとえば、ＥＰＣは、外部装置からのコマンドなどに従って更新される。
【００６１】
次に、ＴＩＤについて説明する。  
ＴＩＤは、ＧＥＮ２に準拠する無線タグ４４のメモリに格納されるデータの１つである。ＴＩＤは、無線タグ４４を固有に特定するＩＤである。ＴＩＤは、無線タグ４４を利用するユーザによって書き換え不可能なＩＤである。たとえば、ＴＩＤは、無線タグ４４の製造時などにおいて、記憶領域５１２ｂに格納される。
【００６２】
ＴＩＤは、記憶領域５１２ｂに物理的に書き換え不可能なように格納されるものであってもよい。また、ＴＩＤは、制御部５１１を制御するためのＯＳ（Operating System）などによってソフトウェア的に書き換え不可能なものであってもよい。
【００６３】
次に、制御部５１１の機能について説明する。  
制御部５１１は、データ書込装置１に対してＥＰＣ又はＴＩＤを送信する機能を有する。
【００６４】
たとえば、制御部５１１は、アンテナ４４２を通じて、ＥＰＣを取得するコマンドを受信する。当該コマンドを受信すると、制御部５１１は、記憶領域５１２ａからＥＰＣを取得する。ＥＰＣを取得すると、制御部５１１は、アンテナ４４２を通じて、ＥＰＣを含むレスポンスをデータ書込装置１に送信する。
【００６５】
また、制御部５１１は、アンテナ４４２を通じて、ＴＩＤを取得するコマンドを受信する。当該コマンドを受信すると、制御部５１１は、記憶領域５１２ｂからＴＩＤを取得する。ＴＩＤを取得すると、制御部５１１は、アンテナ４４２を通じて、ＴＩＤを含むレスポンスをデータ書込装置１に送信する。
【００６６】
次に、データ書込装置１が実現する機能について説明する。データ書込装置１が実現する機能は、プロセッサ１１１が内部メモリ又はメモリ１５などに格納されるプログラムを実行することで実現される。
【００６７】
まず、プロセッサ１１１は、複数の無線タグ４４から受信する電波の電波強度を判定する機能を有する。  
ここでは、プロセッサ１１１は、ＧＥＮ２に準拠して、ＥＰＣを複数の無線タグ４４から同時に取得することで電波強度を判定する。
【００６８】
プロセッサ１１１は、モータ２１を駆動してラベルロール紙４１を所定の位置まで搬送する。たとえば、プロセッサ１１１は、マークセンサ２４を用いてマーク４５を検知することで、ラベルロール紙４１を当該所定の位置まで搬送する。また、ラベルロール紙４１が当該所定の位置にある場合、リーダライタ１６は、アンテナ１７を通じて、複数の無線タグ４４と通信可能であるものとする。
【００６９】
ラベルロール紙４１を当該所定の位置まで搬送すると、プロセッサ１１１は、リーダライタ１６を通じて複数の無線タグ４４へＥＰＣを取得するコマンドを送信する。
【００７０】
コマンドを送信すると、プロセッサ１１１は、リーダライタ１６を通じてＥＰＣを含むレスポンスを複数の無線タグ４４から受信する。また、プロセッサ１１１は、受信した各レスポンスなどに基づいて複数の無線タグ４４の電波強度をそれぞれ判定する。
【００７１】
また、プロセッサ１１１は、取得した電波強度の中で最も強い電波強度（Ｒ１）と次に強い電波強度（Ｒ２）とを特定する機能を有する。
【００７２】
プロセッサ１１１は、各レスポンスの電波強度を取得すると、電波強度を昇順にソートする。電波強度を昇順にソートすると、プロセッサ１１１は、最も強い電波強度と次に強い電波強度とを特定する。
【００７３】
また、プロセッサ１１１は、Ｒ１とＲ２との間に読取閾値を設定する機能を有する。
【００７４】
読取閾値は、無線タグ４４とデータを送受信するために必要とされる電波強度である。即ち、プロセッサ１１１又はリーダライタ１６は、読取閾値を下回る電波強度の無線タグ４４とはデータを送受信しない。
【００７５】
たとえば、プロセッサ１１１は、読取閾値としてＲ１とＲ２との平均値を設定する。たとえば、プロセッサ１１１は、読取閾値をリーダライタ１６に設定する。
【００７６】
なお、Ｒ１とＲ２とが一致する場合、プロセッサ１１１は、最も強い電波強度が複数個あるものとしてエラーを表示デバイス１２などに出力する。
【００７７】
また、プロセッサ１１１は、設定された読取閾値に基づいて無線タグ４４からＴＩＤを取得する機能を有する。
【００７８】
ここでは、プロセッサ１１１は、ＧＥＮ２に準拠して、ＴＩＤを１つの無線タグ４４から取得する。
【００７９】
プロセッサ１１１は、設定された読取閾値を用いて、リーダライタ１６を通じて無線タグ４４へＴＩＤを取得するコマンドを送信する。コマンドを送信すると、プロセッサ１１１は、リーダライタ１６を通じてＴＩＤを含むレスポンスを１つの無線タグ４４から受信する。即ち、プロセッサ１１１は、設定された読取閾値を上回る電波強度の無線タグ４４からＴＩＤを取得する。つまり、プロセッサ１１１は、最も電波強度の強い無線タグ４４からＴＩＤを取得する。
【００８０】
また、プロセッサ１１１は、取得したＴＩＤと電波強度とに基づいて書込位置を算出し設定する機能を有する。
【００８１】
書込位置は、リーダライタ１６が無線タグ４４にデータを書き込む際にアンテナ１７がラベル４３に接する位置である。たとえば、書込位置は、リーダライタ１６が無線タグ４４にデータを書き込む際に、プロセッサ１１１がマーク４５を検知してからラベル４３を搬送する距離である。
【００８２】
次に、データ書込装置１の動作例について説明する。図７は、データ書込装置１の動作例について説明するためのフローチャートである。
【００８３】
まず、データ書込装置１のプロセッサ１１１は、複数の無線タグ４４からＥＰＣを取得する（ＡＣＴ１１）。ＥＰＣを取得すると、プロセッサ１１１は、複数の無線タグ４４からの電波強度をそれぞれ取得する（ＡＣＴ１２）。
【００８４】
電波強度をそれぞれ取得すると、プロセッサ１１１は、取得した複数の電波強度を昇順にソートする（ＡＣＴ１３）。電波強度を昇順にソートすると、プロセッサ１１１は、最も強い電波強度Ｒ１及び次に強い電波強度Ｒ２を特定する（ＡＣＴ１４）。
【００８５】
Ｒ１及びＲ２を特定すると、プロセッサ１１１は、Ｒ１＝Ｒ２であるか判定する（ＡＣＴ１５）。Ｒ１＝Ｒ２でないと判定すると（ＡＣＴ１５、ＮＯ）、プロセッサ１１１は、Ｒ１とＲ２との間に読取閾値を設定する（ＡＣＴ１６）。
【００８６】
読取閾値を設定すると、プロセッサ１１１は、設定された読取閾値に基づいて１つのＴＩＤを取得する（ＡＣＴ１７）。
【００８７】
Ｒ１＝Ｒ２であると判定すると（ＡＣＴ１５、ＹＥＳ）、プロセッサ１１１は、最も強い電波強度が複数個あるとしてエラーを出力する（ＡＣＴ１８）。
【００８８】
設定された読取閾値に基づいて１つのＴＩＤを取得した場合（ＡＣＴ１７）、又は、エラーを出力した場合（ＡＣＴ１８）、プロセッサ１１１は、動作を終了する。
【００８９】
なお、プロセッサ１１１は、ラベルロール紙４１の代わりにラベル４３を直接搬送してもよい。たとえば、プロセッサ１１１は、複数のラベル４３を格納する供給部からラベル４３を取り出して、搬送してもよい。
【００９０】
また、プロセッサ１１１は、ラベル４３に画像を印刷しなくともよい。  
また、プロセッサ１１１は、無線タグ４４にデータを書き込む際にラベル４３を上流に戻してもよい。  
また、アンテナ１７は、移動可能であってもよい。
【００９１】
また、プロセッサ１１１は、Ｒ１に基づいて読取閾値を設定してもよい。たとえば、プロセッサ１１１は、Ｒ１又はＲ１よりも小さい値（たとえば、Ｒ１から所定の値を引いた値又はＲ１に所定の比率を積算した値など）を読取閾値として設定してもよい。
【００９２】
以上のように構成されたデータ書込装置は、通信可能な範囲にある複数の無線タグからＥＰＣを取得することで各無線タグからの電波強度を取得する。データ書込装置は、取得した複数の電波強度の中から最も強い電波強度と次に強い電波強度とを特定する。データ書込装置は、最も強い電波強度と次に強い電波強度との間に読取閾値を設定する。
【００９３】
データ書込装置は、設定された読取閾値に基づいて１つの無線タグからＴＩＤを取得する。その結果、データ書込装置は、通信可能な範囲に同一のＥＰＣを備える無線タグが複数個ある場合であっても、複数の無線タグの中から最も電波強度の強い無線タグのＴＩＤを特定することができる。
【００９４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９５】
１…データ書込装置、１１…コントローラ、１２…表示デバイス、１３…入力デバイス、１４…インターフェース、１５…メモリ、１６…リーダライタ、１７…アンテナ、１８…印字ヘッド駆動回路、１９…印字ヘッド、２０…モータドライバ、２１…モータ、２２…ローラ、２２ａ…ローラ、２２ｂ…ローラ、２３…センサ回路、２４…マークセンサ、４１…ラベルロール紙、４２…台紙、４３…ラベル、４４…無線タグ、４５…マーク、１１１…プロセッサ、４３１…印刷領域、４４１…ＲＦＩＤチップ、４４２…アンテナ、５１１…制御部、５１２…メモリ、５１２ａ…記憶領域、５１２ｂ…記憶領域、５１３…通信インターフェース。
【図１】
2020009046.tif 000003
【図２】
2020009046.tif 000004
【図３】
2020009046.tif 000005
【図４】
2020009046.tif 000006
【図５】
2020009046.tif 000007
【図６】
2020009046.tif 000008
【図７】
2020009046.tif 000009